(57)【要約】【課題】飲料用の容器や食器、筆記具等を手に負担をかけることなく同時に保持することを可能にし、保管、組み立て、廃棄が容易に出来る飲料容器保持具を提供する。【解決手段】上部が開口し、飲料容器の底面または側面を保持することにより前記飲料容器を保持する容器保持部と、上部に投入穴が設けられ、用具を前記投入穴に入れることにより保持する用具保持部と、前記容器保持部と前記用具保持部とが一列に並んで一体となり配置されることにより構成された本体部と、前記本体部に取り付けられ、前記本体部を吊下げて保持する吊下げ紐と、を備えた事を特徴とする。【選択図】図３
2015067366.tif 000002
【特許請求の範囲】
【請求項１】
上部が開口し、飲料容器の底面または側面を保持することにより前記飲料容器を保持する容器保持部と、
上部に投入穴が設けられ、用具を前記投入穴に入れることにより保持する用具保持部と、
前記容器保持部と前記用具保持部とが一列に並んで一体となり配置されることにより構成された本体部と、
前記本体部に取り付けられ、前記本体部を吊下げて保持する吊下げ紐と、
を備えた事を特徴とする飲料容器保持具。
【請求項２】
前記本体部は、１枚のシート状の部材を折りたたむことにより形成されることを特徴とする請求項１に記載の飲料容器保持具。
【発明の詳細な説明】
【技術分野】
【０００１】  本発明は、イベント会場やアミューズメント施設等でグラスやカップなどの飲料容器及び箸やフォーク、筆記具などの用具を吊下げて持ち運ぶ為の飲料容器保持具に関するものである。
【背景技術】
【０００２】  従来、酒の試飲会や立食パーティーなどにおいては、飲料を入れているグラスを片手に持ち、もう一方の手で資料や筆記用具、皿、箸などの食器を持たなければならなかった。しかし、一方だけの手では持てる物が限られるため、皿の縁にグラスを保持する保持具を装着するなどして、持てる物の数を増やしている（例えば、特許文献１参照。）。
【先行技術文献】
【特許文献】
【０００３】
【特許文献１】特開平６−２２８３８公報
【発明の概要】
【発明が解決しようとする課題】
【０００４】  しかしながら、上記した特許文献１で開示されたグラスホルダーでは片手で皿とグラスを持つことになるため、長時間使用する際には腕に多くの負担をかける。また、固定された形状の保持器具では使用前後に場所をとり、保管や廃棄に手間がかかる。【０００５】  本発明はこのような問題に対し、飲料用の容器や食器、筆記具等を手に負担をかけることなく同時に保持することを可能にし、保管、組み立て、廃棄が容易に出来る飲料容器保持具を提供することを目的とする。
【課題を解決するための手段】
【０００６】  前記目的を達成するために本発明の請求項１に記載の飲料容器保持具は、上部が開口し、飲料容器の底面または側面を保持することにより前記飲料容器を保持する容器保持部と、上部に投入穴が設けられ、用具を前記投入穴に入れることにより保持する用具保持部と、前記容器保持部と前記用具保持部とが一列に並んで一体となり配置されることにより構成された本体部と、前記本体部に取り付けられ、前記本体部を吊下げて保持する吊下げ紐と、を備えた事を特徴としている。【０００７】  請求項１に記載の発明によれば、本発明の飲料容器保持具には、グラスや猪口、カップなどの飲料容器が開口した上部から差し込まれ、飲料容器の底面または側面を保持することにより飲料容器を保持する容器保持部と、上部に箸やフォーク、筆記用具を入れて保持する投入穴が設けられた箱状の用具保持部とが、一列に並んで配置されて一体となり本体部が構成される。本体部側面には首からかけて胸の前に吊るして本体部を保持することを可能にする吊下げ紐が取付けられている。【０００８】  これにより、グラスや猪口などの飲料容器と、箸や筆記具などの用具を首から下げて持つことが可能となり、両手が空くので皿や資料などを容易に持てる。また、皿やグラスを長時間腕で持ち上げた状態にはならず、腕への負担を軽減することが可能となる。【０００９】  また請求項２に記載の発明は、請求項１に記載の発明において、前記本体部は、１枚のシート状の部材を折りたたむことにより形成されることを特徴としている。【００１０】  請求項２に記載の発明によれば、本体部は１枚の紙、プラスチック材などを打ち抜き、折りたたんで接着剤を使わずに組み立てることにより形成される。これにより、使用前は切り抜かれて折り目がついたシート状の物を重ねて保管しておくことが可能となり場所をとらない。使用時は折り目を曲げて所定の部位を組み合わせることより接着することなく容易に容器保持部と用具保持部が形成され、紐を取り付けて簡単に飲料容器保持具を完成させられる。また、使用後は組み合わせた部分を外す事でシート状に戻して場所を取ることなく保管できると共に再利用が可能であって、紙などの廃棄しやすい素材を用いれば廃棄も容易となる。更には、シートを打ち抜くことで製品を製造できるので製造コストも安価になる。
【発明の効果】
【００１１】  以上説明したように、本発明の飲料容器保持具によれば、グラスや猪口と箸や筆記具を同時に首から吊るして持つことが可能となり、両手が空いて手に負担をかけることなく試飲会や立食パーティーなどを楽しむことが可能となる。また、安価に制作できて、組み立ても容易で保管に場所もとらず、再利用や廃棄も容易なので、大人数での使用の際にも費用を抑え準備を簡単にすることが可能となる。
【図面の簡単な説明】
【図１】本発明に関わる飲料容器保持具の斜視図である。
【図２】本発明に関わる飲料容器保持具の展開図である。
【図３】本発明に関わる飲料容器保持具を使用した状態を示した斜視図である。
【発明を実施するための形態】
【００１２】  以下、添付図面を参照して、本発明に係る飲料容器保持具について詳細に説明する。図１は本発明に関わる飲料容器保持具の斜視図、図２は本発明に関わる飲料容器保持具の展開図である。
【００１３】  飲料容器保持具１は、容器保持部２と用具保持部３とが一列に並んで一体となり配置されて構成される本体部４の側面に吊下げ紐５が取りつけられている。
【００１４】  容器保持部２は、側面７ａ、７ｂ、７ｃ、７ｄにより囲まれて上部に開口部６が設けられ、開口部６の底部に底板８が設けられている。開口部６より容器保持部２に入れられたグラスや猪口、カップ等の飲料容器は、容器の底が底板８に乗る、または容器側面が側面７ａ、７ｂ、７ｃ、７ｄに挟持されて保持される。
【００１５】  用具保持部３は、箱状に形成され上部に箸やフォーク、筆記具などの用具が投入保持される投入穴９が形成されている。投入穴９に入れられた用具は、箱状に形成された用具保持部３の底部で止まり、投入穴９内に保持される。
【００１６】  吊下げ紐５は、布やビニール等の紐であって、本体部４の側面に上下に形成された紐通し穴１０ａ、１０ｂと紐通し穴１０ｃ、１０ｄにそれぞれ通して結ばれて固定されている。吊下げ紐５は人の首からかけて本体部４が胸の前程度になるように長さが調整され、これによりグラスなどを保持した容器保持部２と箸や筆記具を保持した用具保持部３とが胸の高さで吊るされる。
【００１７】  本体部４は図２に示すシート状に展開した飲料容器保持具１Ａを折り曲げて組み立てる事により形成される。展開した飲料容器保持具１Ａには、側面７ａ、７ｂ、７ｃ、７ｄ、７ｅと底板８、１１ａ、１１ｂ、１１ｃ、１１ｄと接合突起１２ａ、１２ｂ、１３ａ、１３ｂと用具保持部上面１７とが設けられている。側面７ａ、７ｂ、７ｃ、７ｄ、７ｅと底板８、１１ａ、１１ｂ、１１ｃ、１１ｄと接合突起１２ａ、１２ｂ、１３ａ、１３ｂと用具保持部上面１７との間には、折り目１４ａ、１４ｂ、１４ｃ、１４ｄ、１４ｅ、１４ｆ、１４ｇ、１４ｈ、１４ｉ、１４ｊ、１４ｋ、１４ｌ、１４ｍ、１４ｎ、１４ｏ、１４ｐ、１４ｑが形成されている。折り目１４ａには接合突起１２ａ、１２ｂが挿入される接合穴１５ａ、１５ｂが形成され、折り目１４ｌには接合突起１３ａが挿入される接合穴１６ａが形成され、折り目１４ｍには接合突起１３ｂが挿入される接合穴１６ｂが形成されている。用具保持部上面１７には挿入穴９が形成されている。側面７ｂには紐通し穴１０ａ、１０ｂが上下に形成され、側面７ｅには紐通し穴１０ｃ、１０ｄが上下に形成されている。
【００１８】  飲料容器保持具１Ａは紙、プラスチック、薄い金属板などシート状の物ならいずれのものでもよく、１枚のシートを型で抜いて形成される。
【００１９】  本体部４を組み立てる際には、折り目１４ａ、１４ｂ、１４ｅ、１４ｈを折り曲げ、折り目１４ｊ、１４ｋを折り曲げて結合突起１２ａ、１２ｂを接合穴１５ａ、１５ｂへ挿入することで、本体部４の側面７ａ、７ｂ、７ｃ、７ｅが組み立てられる。
【００２０】  続いて折り目１４ｃ、１４ｄ、１４ｆ、１４ｉを折り曲げ、底板１１ａ、１１ｂ、１１ｃ、１１ｄを組み合わせることで容器保持部２と用具保持部３との底部が組み立てられる。
【００２１】  続いて折り目１４ｇ、１４ｌ、１４ｍ、１４ｎ、１４ｏを折り曲げ、折り目１４ｐ、１４ｑを折り曲げて結合突起１３ａ、１３ｂを接合穴１６ａ、１６ｂへ挿入することで、用具保持部上面１７、容器保持部２の側面７ｄ、容器保持部２の底板８が組み立てられる。
【００２２】  組み上げられた本体部４の側面７ｂに形成された紐通し穴１０ａ、１０ｂと、側面７ｅに形成された紐通し穴１０ｃ、１０ｄとには吊下げ紐５が通されて結ばれ、飲料容器保持具１の形状となる。本体部４を組み立てる際には、１枚のシートを型で抜いて形成された飲料容器保持具１Ａだけでなく、用途に合わせて別のシートを別の型で打ち抜いた部品を組み合わせて組み立てても良い。
【００２３】  組み立てられた飲料容器保持具１は、図３に示すように吊下げ紐５を首からかけて使用する。容器保持部２の開口部６から入れられたグラスや猪口などの飲料容器１８は底板８の上に乗って保持される。用具保持部３の投入穴９に入れられた箸や筆記具などの用具１９は底板１１ａ、１１ｂ、１１ｃ、１１ｄを組み合わせることで形成された底部で止まり投入穴９により保持される。
【００２４】  これにより、グラスや猪口と箸や筆記具を同時に首から吊るして持つことが可能となり、両手が空いて手に負担をかけることなく試飲会や立食パーティーなどを楽しむことが可能となる。また、１枚のシート状の物を接着することなく組み立てて形成するので、組み立ても容易で保管に場所もとらず、再利用や廃棄も容易となる。更に、１枚のシート状のものから組み立てられる形状なので、紙などの安価な素材を型で打ち抜いて制作できるため、安価に大量に制作できて大人数での使用の際にも費用を抑え準備を簡単にすることが可能となる。
【００２５】  なお、本発明は以上の例には限定されず、シート状の物を組み立て形成される形状であればいずれの組み立て方でもよく、大きさや紐の位置など保持する飲料容器や用具に合わせて、本発明の要旨を逸脱しない範囲において、各種の改良や変形を行ってもよいのはもちろんである。
【符号の説明】  １、１Ａ…飲料容器保持具，２…容器保持部，３…用具保持部，４…本体部，５…吊下げ紐，６…開口部，７ａ、７ｂ、７ｃ、７ｄ、７ｅ…側面，８、１１ａ、１１ｂ、１１ｃ、１１ｄ…底板，９…投入穴，１０ａ、１０ｂ、１０ｃ、１０ｄ…紐通し穴，１２ａ、１２ｂ、１３ａ、１３ｂ…結合突起，４ａ、１４ｂ、１４ｃ、１４ｄ、１４ｅ、１４ｆ、１４ｇ、１４ｈ、１４ｉ、１４ｊ、１４ｋ、１４ｌ、１４ｍ、１４ｎ、１４ｏ、１４ｐ、１４ｑ…折り目，１５ａ、１５ｂ、１６ａ、１６ｂ…結合穴，１７…用具保持部上面，１８…飲料容器，１９…用具
【図１】
2015067366.tif 000003
【図２】
2015067366.tif 000004
【図３】
2015067366.tif 000005